(57)【要約】【課題】硬貨の投入時に、硬貨を投入したつもりでいる顧客との間での無用のトラブルを防止する手段を提供する。【解決手段】硬貨を投入する投入口１４を開閉する投入口シャッタ１４ａと、硬貨を出金する出金口１５を開閉する出金口シャッタ１５ａとを備えた硬貨入出金機において、投入口シャッタ１４ａ上および出金口シャッタ１５ａ上を開閉するスライド式の上側シャッタ１６を設けると共に、出金口シャッタ１５ａの、上側シャッタ１６の閉作動方向Ａの下流側に硬貨受け皿１７を設ける。【選択図】        図３
2010033494.tif 000002
【特許請求の範囲】
【請求項１】
硬貨を投入する投入口と、前記投入口を開閉する投入口シャッタと、硬貨を出金する出金口と、前記出金口を開閉する出金口シャッタとを備えた硬貨入出金機において、
前記投入口シャッタ上および前記出金口シャッタ上を開閉するスライド式の上側シャッタを設けると共に、前記出金口シャッタの、前記上側シャッタの閉作動方向の下流側に硬貨受け皿を設けたことを特徴とする硬貨入出金機。
【請求項２】
請求項１において、
前記硬貨受け皿の底部に、残留検知センサを設けたことを特徴とする硬貨入出金機。
【請求項３】
請求項１または請求項２において、
前記上側シャッタの前記出金口シャッタ側に、前記上側シャッタのスライド方向に沿った複数の突条を設け、前記出金口シャッタの前記上側シャッタ側に、前記突条に遊嵌するガイド溝を設けたことを特徴とする硬貨入出金機。
【請求項４】
硬貨を投入する投入口と、前記投入口を開閉する投入口シャッタと、前記投入口に投入された硬貨を内部に導く導入ダクトと、硬貨を出金する出金口と、前記出金口を開閉する出金口シャッタとを備えた硬貨入出金機において、
前記投入口シャッタ上および前記出金口シャッタ上を開閉するスライド式の上側シャッタを設けると共に、前記出金口シャッタの、前記上側シャッタの閉作動方向の下流側に開口部を有し、前記開口部から前記導入ダクトに接続する硬貨ダクトを設けたことを特徴とする硬貨入出金機。
【発明の詳細な説明】
【技術分野】
【０００１】
本発明は、現金自動預払機等の自動取引装置に装着され、硬貨の入出金を行う硬貨入出金機に関する。
【背景技術】
【０００２】
従来の硬貨入出金機は、投入硬貨および出金硬貨を集積するホッパの入出金口を開閉する入出金口シャッタにスリット状の投入口を設け、顧客に投入口から硬貨を数枚ずつ投入させて、入金取引等を行っている（例えば、特許文献１参照。）。
【特許文献１】特開平１０−２０８１０６号公報（段落００１３、００１５、第４図、第５図）
【発明の開示】
【発明が解決しようとする課題】
【０００３】
しかしながら、上述した従来の硬貨入出金機においては、入出金口を開閉する入出金口シャッタにスリット状の投入口を設けて、硬貨を投入させているので、入金取引時等に、顧客が硬貨をスリット状の投入口に投入せずに、誤って入出金口シャッタ上に載置してしまう場合があり、投入口から投入された硬貨以外は投入硬貨として取扱われることがないため、硬貨を投入したつもりでいる顧客との間で、認識の相違によるトラブルが発生する場合があるという問題がある。
【０００４】
本発明は、上記の問題点を解決するためになされたもので、硬貨の投入時に、硬貨を投入したつもりでいる顧客との間での無用のトラブルを防止する手段を提供することを目的とする。
【課題を解決するための手段】
【０００５】
本発明は、上記課題を解決するために、硬貨を投入する投入口と、前記投入口を開閉する投入口シャッタと、硬貨を出金する出金口と、前記出金口を開閉する出金口シャッタとを備えた硬貨入出金機において、前記投入口シャッタ上および前記出金口シャッタ上を開閉するスライド式の上側シャッタを設けると共に、前記出金口シャッタの、前記上側シャッタの閉作動方向の下流側に硬貨受け皿を設けたことを特徴とする。
【発明の効果】
【０００６】
これにより、本発明は、顧客が、誤って出金口シャッタ上に硬貨を載置してしまったとしても、当該硬貨を上側シャッタの閉動作時にその先端で押して、硬貨受け皿に集積することができ、硬貨を投入したつもりでいる顧客との間での無用のトラブルを防止することができるという効果が得られる。
【発明を実施するための最良の形態】
【０００７】
以下に、図面を参照して本発明による硬貨入出金機の実施例について説明する。
【実施例１】
【０００８】
図１は実施例１の現金自動預払機を示すブロック図、図２は実施例１の現金自動預払機の外観を示す説明図、図３は実施例１の硬貨の入出金操作部の外観を示す説明図、図４は実施例１の硬貨の入出金操作部の断面を示す説明図、図５は実施例１の入金取引における投入硬貨受付処理の動作を示す説明図である。
図１、図２において、１は自動取引装置としての現金自動預払機であり、銀行や日本郵政株式会社等の金融機関の支店や郵便局、コンビニエンスストア等の店舗に設置され、金融機関のセンタに設置された図示しないホストコンピュータと交信して顧客との間での取引処理を自動で行う。
【０００９】
３は現金自動預払機１の主制御部であり、インタフェース４によって、専用回線や電話回線等の通信回線５を介して図示しないホストコンピュータと接続しており、現金自動預払機１内の各部を制御して取引処理等を実行すると共にデータ通信等も制御する。
６は記憶部であり、主制御部３が実行するプログラムやそれに用いる各種のデータおよび主制御部３による処理結果等が格納される。
【００１０】
７は操作表示部であり、現金自動預払機１の前面に設けられ、ＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
８はカード処理部であり、カード挿入口８ａから挿入された顧客のキャッシュカードやクレジットカード等の取引カードの磁気ストライプやＩＣチップ等に記録されている顧客ＩＤや金融機関名、口座番号等の顧客の口座情報等のカード情報を読み書きする機能を有すると共に明細票等に取引内容等を印刷する機能等を有している。
【００１１】
９は通帳処理部であり、通帳挿入口９ａから挿入された顧客の通帳の磁気ストライプやＩＣチップ等に記録されている通帳情報を読み書きする機能を有すると共に取引内容等を顧客の通帳に記帳する機能を有している。
１０は音声案内部であり、スピーカ１０ａを備えており、主制御部３が生成した音声データを音声に変換して顧客に伝達する機能を有している。
【００１２】
１１は紙幣入出金機であり、入金取引時等に紙幣入出金口１１ａによって顧客が投入した紙幣を受入れ、これを鑑別および計数して紙幣収納庫に収納し、出金取引時等に紙幣収納庫から顧客に支払う紙幣を繰出し、これを計数して紙幣入出金口１１ａから排出して顧客に引渡す機能を有している。
１２は硬貨入出金機であり、その入出金操作部１３には、図３に示すように、入金取引や振込取引等における硬貨Ｃの投入時に、スリット状の投入口１４によって顧客が数枚ずつに分けて投入した硬貨Ｃを受入れ、これを鑑別および計数して硬貨収納庫に収納し、出金取引時等における硬貨Ｃの出金時に、硬貨収納庫から顧客に支払う硬貨Ｃを繰出し、これを計数して出金口１５から排出して顧客に引渡す機能を有している。
【００１３】
また、硬貨入出金機１２には、図示は省略するが、入金時に投入口１４から投入された投入硬貨、および出金時に出金口１５へ搬送する出金硬貨等を受入れ、これを１枚毎に分離して繰出す機能を有する分離部、分離部で１枚毎に分離された硬貨Ｃの真偽、正損、金種等を鑑別、計数する硬貨鑑別部、硬貨Ｃを金種毎に収納する硬貨収納庫、投入された硬貨Ｃを一時保留する硬貨一時保留部、搬送異常等のリジェクト硬貨を回収する硬貨リジェクト庫、これらの間で硬貨Ｃを搬送する硬貨搬送路およびその切替機構と駆動機構等が設けられている。
【００１４】
本実施例の投入口１４には、図３に示すように、投入口１４を開閉するスライド式の投入口シャッタ１４ａ、投入口１４に投入された投入硬貨を、硬貨入出金機１２の内部設けられた図示しない分離部へ導く導入ダクト１４ｂが設けられ、出金口１５には、図３、図４に示すように、出金口１５を開閉するスライド式の出金口シャッタ１５ａ、出金する出金硬貨を集積する集積皿１５ｂが設けられている。
【００１５】
また、投入口シャッタ１４ａ上および出金口シャッタ１５ａ上には、出金口シャッタ１５ａとの間のシャッタ間隙間を、取扱う硬貨Ｃの中で最も薄い硬貨Ｃの厚さより狭くした状態で、投入口シャッタ１４ａおよび出金口シャッタ１５ａを覆ってこれらを出没自在に開閉するスライド式の上側シャッタ１６が設けられ、出金口シャッタ１５ａの、上側シャッタ１６の閉作動方向（図４に示す矢印Ａ方向）の下流側には、誤って出金シャッタ１５ａ上に載置された硬貨Ｃを集積するための硬貨受け皿１７が配置されている。
【００１６】
なお、図３は図示の都合上、出金口シャッタ１５ａは半ば開いた状態で図示しているが、実際には全閉状態または全開状態のいずれか一方の位置に停止している。
上記の現金自動預払機１の記憶部６には、顧客が選択した取引の入力を受付け、これを基に図示しないホストコンピュータと交信して顧客との取引処理を自動で行う機能等を有する通常の取引処理プログラムに、図５を用いて説明する本実施例の投入硬貨受付処理を行う機能を有するアプリケーションプログラム等が追加された業務処理実行プログラムが予め格納されており、主制御部３が実行する業務処理実行プログラムのステップにより本実施例の現金自動預払機１のハードウェアとしての各機能手段が形成される。
【００１７】
以下に、図５にＳで示すステップに従って、本実施例の入金取引における投入硬貨受付処理について説明する。
顧客によって、入金取引が選択されると、主制御部３は、操作表示部７の表示画面に取引カードまたは通帳の挿入を促す旨の文言等を表示して取引カードまたは通帳の挿入を促し、顧客が取引カードまたは通帳をカード処理部８または通帳処理部９のカード挿入口８ａまたは通帳挿入口９ａに挿入すると、主制御部３はカード処理部８または通帳処理部９によって、取引カードに記録されているカード情報、または通帳に記録されている通帳情報を読取り、操作表示部７の表示画面に紙幣や硬貨Ｃの投入を促す旨の文言を表示した現金投入画面を表示する。
【００１８】
Ｓ１、現金投入画面を表示した主制御部３は、上側シャッタ１６を矢印Ｂ方向に開作動させると共に、投入口シャッタ１４ａを開作動させる。
このとき、顧客は、誤って硬貨Ｃを出金口シャッタ１５ａ上に載置する。
Ｓ２、投入口シャッタ１４ａを開作動後に、主制御部３は、その時計機能により経過時間を計測しながら、硬貨Ｃが投入口１４に投入されるのを待って待機し、所定の時間経過しても硬貨Ｃが投入されなかったときは、入金取引処理を終了させて、上側シャッタ１６を矢印Ａ方向に閉作動させ、上側シャッタ１６の閉作動方向の先端で、出金口シャッタ１５ａ上に置かれた硬貨Ｃを押して硬貨受け皿１７の内部に落とし込んで集積し、顧客に返却する。
【００１９】
Ｓ３、顧客は、当該硬貨Ｃが硬貨受け皿１７に落下したことにより、投入したつもりの硬貨Ｃが受付けられていないことに気付き、硬貨受け皿１７の内部に集積された硬貨Ｃを受取る。
このようにして、本実施例の投入硬貨受付処理が実行される。
以上説明したように、本実施例では、硬貨入出金機の入出金操作部に、投入口の投入口シャッタ上と、出金口の出金口シャッタ上とを覆って、これらを開閉するスライド式の上側シャッタを設けると共に、その出金口シャッタの、上側シャッタの閉作動方向の下流側に硬貨受け皿を配置したことによって、顧客が、誤って出金口シャッタ上に硬貨Ｃを載置してしまったとしても、上側シャッタの閉作動時にその閉作動方向の先端で当該硬貨Ｃを押して硬貨受け皿の内部に集積することができ、顧客に当該硬貨Ｃが受付けられていないことに気付かせて、硬貨を投入したつもりでいる顧客との間での無用のトラブルを防止することができる。
【実施例２】
【００２０】
図６は実施例２の硬貨の入出金操作部の外観を示す説明図、図７は実施例２の硬貨の入出金操作部の断面を示す説明図、図８は実施例２の入金取引における投入硬貨受付処理の動作を示す説明図である。
なお、上記実施例１と同様の部分は、同一の符号を付してその説明を省略する。
図６、図７において、２１は残留検知センサであり、発光部２１ａと受光部２１ｂとを硬貨受け皿１７の底部を挟んで対向させた光学式のセンサであって、硬貨受け皿１７の底部に集積された硬貨Ｃが、発光部２１ａからの光を遮断したことを受光部２１ｂが検出して硬貨Ｃの残留を検知する。
【００２１】
本実施例の現金自動預払機１の記憶部６には、上記実施例１と同様の取引処理プログラムに、図８を用いて説明する本実施例の投入硬貨受付処理を行う機能を有するアプリケーションプログラム等が追加された業務処理実行プログラムが予め格納されており、主制御部３が実行する業務処理実行プログラムのステップにより本実施例の現金自動預払機１のハードウェアとしての各機能手段が形成される。
【００２２】
以下に、図８にＳＡで示すステップに従って、本実施例の入金取引における投入硬貨受付処理について説明する。
本実施例のステップＳＡ１までの作動は、上記実施例１のステップＳ１までの作動と同様であるので、その説明を省略する。
ＳＡ２、投入口シャッタ１４ａを開作動後に、主制御部３は、上記実施例１のステップＳ２と同様にして、投入口１４への硬貨Ｃの投入を待って待機し、所定の時間経過しても硬貨Ｃが投入されなかったときは、入金取引処理を終了させて、上側シャッタ１６を矢印Ａ方向に閉作動させ、上側シャッタ１６の閉作動方向の先端で、出金口シャッタ１５ａ上に置かれた硬貨Ｃを押して硬貨受け皿１７の内部に落とし込んで集積し、顧客に返却する。
【００２３】
このとき、硬貨受け皿１７の底部に設置された残留検知センサ２１により、硬貨受け皿１７に集積された硬貨Ｃが検知される。
ＳＡ３、硬貨受け皿１７に集積された硬貨Ｃを検知した主制御部３は、「投入されていない硬貨があります。お受取ください。」等の硬貨Ｃの受取を促す案内文言の表示データおよび音声データを生成し、その案内文言を操作表示部７の表示画面に表示すると共に、音声案内部１０のスピーカ１０ａにより音声で報知する。
【００２４】
顧客は、案内文言により、投入したつもりの硬貨Ｃが受付けられていないことに気付き、硬貨受け皿１７の内部に集積された硬貨Ｃを受取る。
このようにして、本実施例の投入硬貨受付処理が実行される。
以上説明したように、本実施例では、上記実施例１と同様の効果に加えて、硬貨受け皿の底部に、残留検知センサを設けたことによって、硬貨受け皿に集積された硬貨Ｃが受付られていないことを案内文言により報知することができ、硬貨を投入したつもりでいる顧客との間での無用のトラブルを更に効果的に防止することができると共に、硬貨受け皿の硬貨の取忘れを防止することができる。
【実施例３】
【００２５】
図９は実施例３の硬貨の入出金操作部の外観を示す説明図、図１０は図９のＤ部を示す拡大図、図１１は実施例３の入金取引における投入硬貨受付処理の動作を示す説明図である。
なお、上記実施例１と同様の部分は、同一の符号を付してその説明を省略する。
上記実施例１および実施例２においては、上側シャッタ１６と出金口シャッタ１５ａとの間のシャッタ間隙間は、取扱う硬貨Ｃの中で最も薄い硬貨Ｃの厚さより狭く設定されているとして説明したが、現金自動預払機１の硬貨の入出金操作部１３に上側シャッタ１６を取付けた場合には、このようなシャッタ間隙間を精度よく形成することが困難な場合がある。
【００２６】
この場合に、図１２（ａ）に示すように、上側シャッタ１６と出金口シャッタ１５ａとの間のシャッタ間隙間Ｅが、取扱う硬貨Ｃの厚さより広く形成されてしまうと、図１２（ｂ）に示すように、上側シャッタ１６が閉作動したときに、シャッタ間隙間Ｅに硬貨Ｃが挟み込まれてしまう場合があり、出金口シャッタ１５ａ上に載置された全ての硬貨Ｃを顧客に返却できない場合がある。
【００２７】
図９、図１０において、２５は突条であり、上側シャッタ１６の出金口シャッタ１５ａ側の面に形成された、出金口シャッタ１５ａに向かって突出する波型の山部であって、上側シャッタ１６のスライド方向（図４に示す矢印Ａ、Ｂの方向）に沿って、取扱う硬貨Ｃの中で最も直径の小さい硬貨より狭いピッチで複数形成されており、出金口シャッタ１５ａの上側シャッタ１６側の面に形成されたガイド溝２６に遊嵌している。
【００２８】
本実施例の現金自動預払機１の記憶部６には、上記実施例１と同様の取引処理プログラムに、図１１を用いて説明する本実施例の投入硬貨受付処理を行う機能を有するアプリケーションプログラム等が追加された業務処理実行プログラムが予め格納されており、主制御部３が実行する業務処理実行プログラムのステップにより本実施例の現金自動預払機１のハードウェアとしての各機能手段が形成される。
【００２９】
以下に、図１１にＳＢで示すステップに従って、本実施例の入金取引における投入硬貨受付処理について説明する。
本実施例のステップＳＢ１までの作動は、上記実施例１のステップＳ１までの作動と同様であるので、その説明を省略する。
ＳＢ２、投入口シャッタ１４ａを開作動後に、主制御部３は、上記実施例１のステップＳ２と同様にして、投入口１４への硬貨Ｃの投入を待って待機し、所定の時間経過しても硬貨Ｃが投入されなかったときは、入金取引処理を終了させて、上側シャッタ１６を矢印Ａ方向に閉作動させ、上側シャッタ１６の閉作動方向の先端で、出金口シャッタ１５ａ上に置かれた硬貨Ｃを押して硬貨受け皿１７の内部に落とし込んで集積し、顧客に返却する。
【００３０】
このとき、上側シャッタ１６と出金口シャッタ１５ａとの間のシャッタ間隙間Ｅが広くなっていたとしても、出金口シャッタ１５ａのガイド溝２６やガイド溝２６間の山部に載置された硬貨Ｃが、ガイド溝２６に遊嵌する突条２５により確実に押出される。
その後のステップＳＢ３の作動は、上記実施例１のステップＳ３の作動と同様であるので、その説明を省略する。
【００３１】
このようにして、本実施例の投入硬貨受付処理が実行される。
以上説明したように、本実施例では、上記実施例１と同様の効果に加えて、上側シャッタの出金口シャッタ側に上側シャッタのスライド方向に沿った複数の突条を設け、出金口シャッタの上側シャッタ側に突条に遊嵌するガイド溝を設けたことによって、上側シャッタと出金口シャッタとの間のシャッタ間隙間Ｅが広くなっていたとしても、出金口シャッタ上に載置された硬貨Ｃを、ガイド溝に遊嵌する突条により確実に押出すことができ、出金口シャッタ上に載置された全ての硬貨Ｃを確実に顧客に返却することができる。
【００３２】
なお、上記実施例１、実施例２および本実施例においては、硬貨が出金口シャッタ上に載置された場合は、所定の時間以内に投入口に硬貨が投入されなかったときに、タイムアウトで上側シャッタを閉動作させるとして説明したが、出金口シャッタに、硬貨が出金口シャッタ上に載置されたことを検知する載置検出センサを設け、載置検出センサが出金口シャッタ上の硬貨Ｃを検出したときに、入金取引処理を終了させて、上側シャッタを閉作動させるようにしてもよい。
【実施例４】
【００３３】
図１３は実施例４の硬貨の入出金操作部の外観を示す説明図、図１４は実施例４の硬貨の入出金操作部の断面を示す説明図、図１５は実施例４の入金取引における投入硬貨受付処理の動作を示す説明図である。
なお、上記実施例１と同様の部分は、同一の符号を付してその説明を省略する。
図１３、図１４において、３１は硬貨ダクトであり、出金口シャッタ１５ａの、上側シャッタ１６の閉作動方向の下流側に配置され、上側シャッタ１６のスライド方向に直交する方向の長さと同等の長さと、取扱う硬貨Ｃの中で最も厚い硬貨Ｃの厚さより広い高さとからなる矩形で形成された、上側シャッタ１６の先端に対向する開口部３２を有しており、図示しない分離部の上流側で、投入口１４の導入ダクト１４ｂと接続している。
【００３４】
本実施例の現金自動預払機１の記憶部６には、上記実施例１と同様の取引処理プログラムに、図１５を用いて説明する本実施例の投入硬貨受付処理を行う機能を有するアプリケーションプログラム等が追加された業務処理実行プログラムが予め格納されており、主制御部３が実行する業務処理実行プログラムのステップにより本実施例の現金自動預払機１のハードウェアとしての各機能手段が形成される。
【００３５】
以下に、図１５にＳＣで示すステップに従って、本実施例の入金取引における投入硬貨受付処理について説明する。
本実施例のステップＳＣ１までの作動は、上記実施例１のステップＳ１までの作動と同様であるので、その説明を省略する。
ＳＣ２、投入口シャッタ１４ａを開作動後に、主制御部３は、上記実施例１のステップＳ２と同様にして、投入口１４への硬貨Ｃの投入を待って待機し、所定の時間経過しても硬貨Ｃが投入されなかったときは、上側シャッタ１６を矢印Ａ方向に閉作動させ、上側シャッタ１６の閉作動方向の先端で、出金口シャッタ１５ａ上に置かれた硬貨Ｃを押して硬貨ダクト３１の開口部３２に落とし込み、落とし込まれた硬貨Ｃは硬貨ダクト３１に接続する導入ダクト１４ｂを経由して図示しない分離部に集積される。
【００３６】
このとき、硬貨Ｃの投入が検知され、開口部３２から導入された硬貨Ｃは、投入口１４から投入された硬貨Ｃと同様の投入硬貨として取扱われ、その後は通常の場合と同様にして、入金取引処理が行われる。
このようにして、本実施例の投入硬貨受付処理が実行される。
以上説明したように、本実施例では、硬貨入出金機の入出金操作部に、投入口の投入口シャッタ上と、出金口の出金口シャッタ上とを覆って、これらを開閉するスライド式の上側シャッタを設けると共に、その出金口シャッタの、上側シャッタの閉作動方向の下流側に開口部を有し、開口部から導入ダクトに接続する硬貨ダクトを設けたことによって、顧客が、誤って出金口シャッタ上に硬貨Ｃを載置してしまったとしても、当該硬貨Ｃを上側シャッタの閉作動時にその閉作動方向の先端で押して開口部から硬貨ダクトに落とし込むことができ、硬貨ダクトに落とし込まれた硬貨Ｃを、投入硬貨として取扱うことを可能にして顧客との間での無用のトラブルを防止することができる。
【００３７】
なお、上記各実施例においては、本発明の硬貨入出金機を装着する自動取引装置は現金自動預払機であるとして説明したが、自動取引装置は前記に限らず、自動販売機や発券機、両替機等であってもよい。要は顧客との間で硬貨を用いた取引を自動で行うものであれば、本発明と同様の効果を得ることができる。
【図面の簡単な説明】
【００３８】
【図１】実施例１の現金自動預払機を示すブロック図
【図２】実施例１の現金自動預払機の外観を示す説明図
【図３】実施例１の硬貨の入出金操作部の外観を示す説明図
【図４】実施例１の硬貨の入出金操作部の断面を示す説明図
【図５】実施例１の入金取引における投入硬貨受付処理の動作を示す説明図
【図６】実施例２の硬貨の入出金操作部の外観を示す説明図
【図７】実施例２の硬貨の入出金操作部の断面を示す説明図
【図８】実施例２の入金取引における投入硬貨受付処理の動作を示す説明図
【図９】実施例３の硬貨の入出金操作部の外観を示す説明図
【図１０】図９のＤ部を示す拡大図
【図１１】実施例３の入金取引における投入硬貨受付処理の動作を示す説明図
【図１２】シャッタ間隙間が広くなった場合の硬貨の挟み込み状態を示す説明図
【図１３】実施例４の硬貨の入出金操作部の外観を示す説明図
【図１４】実施例４の硬貨の入出金操作部の断面を示す説明図
【図１５】実施例４の入金取引における投入硬貨受付処理の動作を示す説明図
【符号の説明】
【００３９】
１    現金自動預払機
３    主制御部
４    インタフェース
５    通信回線
６    記憶部
７    操作表示部
８    カード処理部
８ａ  カード挿入口
９    通帳処理部
９ａ  通帳挿入口
１０  音声案内部
１１  紙幣入出金機
１１ａ  紙幣入出金口
１２  硬貨入出金機
１３  入出金操作部
１４  投入口
１４ａ  投入口シャッタ
１４ｂ  導入ダクト
１５  出金口
１５ａ  出金口シャッタ
１５ｂ  集積皿
１６  上側シャッタ
１７  硬貨受け皿
２１  残留検知センサ
２１ａ  発光部
２１ｂ  受光部
２５  突条
２６  ガイド溝
３１  硬貨ダクト
３２  開口部
【図１】
2010033494.tif 000003
【図２】
2010033494.tif 000004
【図３】
2010033494.tif 000005
【図４】
2010033494.tif 000006
【図５】
2010033494.tif 000007
【図６】
2010033494.tif 000008
【図７】
2010033494.tif 000009
【図８】
2010033494.tif 000010
【図９】
2010033494.tif 000011
【図１０】
2010033494.tif 000012
【図１１】
2010033494.tif 000013
【図１２】
2010033494.tif 000014
【図１３】
2010033494.tif 000015
【図１４】
2010033494.tif 000016
【図１５】
2010033494.tif 000017